(57)【特許請求の範囲】
【請求項１】
被試験無線周波数信号を受ける入力端子と、
上記被試験無線周波数信号をデジタル化するアナログ・デジタル・コンバータと、
デジタル化した上記被試験無線周波数信号からＩ（同相）及びＱ（直交）ベースバンド成分情報を生成するデジタル・ダウン・コンバータと、
デジタル化した上記被試験無線周波数信号に関する上記Ｉ及びＱベースバンド成分情報の１つ以上のレコードを蓄積する取込みメモリと、
上記Ｉ及びＱベースバンド成分情報を用いて１つ以上のＩＱベース時間領域トレースを生成すると共に、上記Ｉ及びＱベースバンド成分情報の個別のトレースを生成するトレース生成部と、
１つ以上のイベントを探すために１つ以上の上記ＩＱベース時間領域トレースをスキャンすると共に、上記Ｉベースバンド成分情報の上記個別のトレース又は上記Ｑベースバンド成分情報の上記個別のトレースをスキャンして１つ以上のイベントを探し、１つ以上の上記イベントにマークを付ける検索ユニットと、
１つ以上の上記ＩＱベース時間領域トレースに関する１つ以上のマークされた上記イベントの位置又はその周辺の関心ある区間を表示する表示ユニットと
を具える試験測定装置。
【請求項２】
ＩＱベース時間領域トレース中のイベントを検索する方法であって、
試験測定装置の端子において被試験無線周波数信号を受けるステップと、
アナログ・デジタル・コンバータを用いて上記被試験無線周波数信号をデジタル化するステップと、
デジタル化した上記被試験無線周波数信号をダウン・コンバートしてＩ（同相）及びＱ（直交）ベースバンド成分情報を生成するステップと、
上記被試験無線周波数信号に関する上記Ｉ及びＱベースバンド成分情報のレコードを取込みメモリ中に蓄積及び取込むステップと、
上記取込みメモリ中に蓄積された上記Ｉ及びＱベースバンド成分情報を用いて、上記Ｉ及びＱベースバンド成分情報の個別のトレース並びに１つ以上のＩＱベース時間領域トレースを生成するステップと、
１つ以上のイベントを探すために１つ以上の上記ＩＱベース時間領域トレースを検索するステップと、
１つ以上の上記イベントにマークを付けるステップと、
１つ以上の上記ＩＱベース時間領域トレースに関する１つ以上のマークされた上記イベントの位置又はその周辺の関心ある区間を表示するステップと
を具えるイベント検索方法。
【発明の詳細な説明】
【技術分野】
【０００１】
本発明は、被試験信号の測定に関し、特に被試験信号から得られるＩＱベース時間領域トレース中のイベントを効果的に検索し、表示できる試験測定装置及びイベント検索方法に関する。
【背景技術】
【０００２】
無線周波数（Radio Frequency：ＲＦ）伝送は、今日のワイヤレスに接続された社会において、急激に普遍的なものとなりつつある。例えば、携帯電話の使用は、世界中で急激に増加しており、高速データ・ネットワークは拡大し、家庭でのワイヤレス通信や、ワイド・エリア・ネットワーク（ＷＡＮ）が、普通のことになってきた。こうした進展において、試験測定装置が効率的な検索（サーチ）能力を提供し、これによって、試験エンジニアや専門技術者のような現場の人間に、被試験信号に過去何が起こったかを正確に再描写して提供できるようにすることが従来以上に極めて重要となっている。
【０００３】
無線周波搬送波（ＲＦキャリア）信号は、搬送波（キャリア）の振幅、周波数又は位相の変化に基づく種々のやり方で情報を伝達できる。政府は、通常、ＲＦレンジを異なる目的で使用するように配分する。結果として、あるデバイスは、所定の帯域内でのみ動作することが許される。こうした制限によって、これら制約に対応しているこれまで以上に複雑ながら効率的で、一般に認められた通信規格に従った方法を採用することとなる。例えば、多くの新しい伝送システムでは、周波数ホッピング及び位相変調を用いて通信規格に対応し、同様なリソースで競合する異なるデバイス間の機能性と互換性を高めている。
【先行技術文献】
【特許文献】
【０００４】
【特許文献１】特開２０００−１５１７３１号公報
【発明の概要】
【発明が解決しようとする課題】
【０００５】
最新鋭のリアルタイム・スペクトラム・アナライザ（ＲＴＳＡ）は、ＲＦ信号を受けて、この信号に関する取り込んだデータのレコードを蓄積できる。しかし、従来の技術を用いても、こうした信号のＲＦデータ中の時間領域イベントのような任意の特徴カ所（aspect：局面、側面）を検索（サーチ）して分離するのが困難か又は不可能である。問題となる時間領域現象を検索するために、取り込んだＲＦ信号データ全体を通して検索する方法は存在していない。そこで、既に蓄積したＲＦ信号データのレコードに関して時間領域イベントを検索するための新しい装置及び方法が必要とされている。
【課題を解決するための手段】
【０００６】
本発明の実施形態では、既に蓄積した無線周波数（ＲＦ）信号データの時間領域特性を検索する技術を提供する。本発明による装置、システム及び方法は、ＲＦ信号を受けてデジタル化及びダウン・コンバートし、デジタル化したＲＦ信号からＩ（in-phase：同相）及びＱ（quadrature：直交）のベースバンド成分情報を生成する。取込み（アクイジション）メモリは、ＲＦ信号に関するデジタル化されたＩ及びＱベースバンド成分情報の１つ以上のレコードを取込み、蓄積する。トレース生成部は、１つ以上のＩＱベース時間領域トレースを生成し、検索ユニットは、１つ以上の時間領域イベントを探すために、１つ以上のＩＱベース時間領域トレースをスキャンする。
【０００７】
本発明の実施形態の例では、検索ユニットは、既に蓄積されたＩＱベース時間領域トレース中の１つ以上の時間領域イベントの位置を特定してマークを付けるように構成される。例えば、検索ユニットは、周波数対時間トレース中のラント（Runt：出来損ない）又は許容不可（Illegal）状態の位置を特定してマークを付けることができる。別の例としては、検索ユニットが、ＩＱベース時間領域トレースが、他にある可能性の中から、セット・アップ及びホールド・イベント、ウィンドウ・イベント、スルーレート・イベント、パルス幅イベントを特定してマークを付けるというものもある。ＩＱベース時間領域トレースとしては、他にも適当な時間領域トレース及びデータがあるものの、例えば、位相対時間トレース、周波数対時間トレース、振幅（つまり、電力対時間トレース）や復調データといったものがある。加えて、検索ユニットは、Ｉ及びＱベースバンド成分情報の個々のトレースに関するイベントの位置を特定してマークを付けることができる。言い換えると、検索ユニットは、Ｉベースバンド成分情報の１個のトレース（つまり、Ｉ対時間トレース）を直接スキャンしたり、Ｑベースバンド成分情報の１個のトレース（つまり、Ｑ対時間トレース）を直接スキャンできる。表示ユニットは、マークされたイベントの位置又はその周辺の関心のある区間を表示するのに適したものとなっている。
【０００８】
本願の第１観点の発明は、試験測定装置であって、
被試験電気信号を受ける入力端子と、
上記被試験電気信号をデジタル化するアナログ・デジタル・コンバータと、
デジタル化した上記被試験電気信号からＩ（同相）及びＱ（直交）ベースバンド成分情報を生成するデジタル・ダウン・コンバータと、
デジタル化した上記被試験電気信号に関する上記Ｉ及びＱベースバンド成分情報の１つ以上のレコードを蓄積する取込みメモリと、
上記Ｉ又はＱベースバンド成分情報を用いて１つ以上のトレースを生成するトレース生成部と、
１つ以上のイベントを探すために１つ以上の上記トレースをスキャンする検索ユニットと
を具えている。このとき、上記トレース生成部が１つ以上のＩＱベース時間領域トレースを生成するように構成されていても良い。
【０００９】
本願の第２観点の発明は、第１観点の試験測定装置において、上記トレース生成部が１つ以上のＩＱベース時間領域トレースを生成するように構成され、上記検索ユニットが１つ以上の上記ＩＱベース時間領域トレース中の１つ以上の上記イベントを特定してマークを付けるように構成されているものである。
【００１０】
本願の第３観点の発明は、第１観点の試験測定装置において、上記トレース生成部が上記Ｉ及びＱベースバンド成分情報の個々のトレースを生成するように構成され、上記検索ユニットが上記Ｉ及びＱベースバンド成分情報の個々のトレース中の１つ以上の上記イベントを特定してマークを付けるように構成されているものである。
【００１１】
本願の第４観点の発明は、第１観点の試験測定装置において、１つ以上の上記イベントの位置又はその周辺の関心ある区間を表示するのに適した表示ユニットを更に具えるものである。
【００１２】
本願の第５観点の発明は、第４観点の試験測定装置において、１つ以上の上記ＩＱベース時間領域トレースが周波数対時間トレースを含み、上記検索ユニットが上記周波数対時間トレース中の１つ以上の上記イベントを特定してマークを付けるように構成され、上記表示ユニットが上記周波数対時間トレース中の１つ以上の上記イベントの位置又はその周辺の関心ある区間を表示するのに適していることを特徴とするものである。
【００１３】
本願の第６観点の発明は、第４観点の試験測定装置において、１つ以上の上記ＩＱベース時間領域トレースが位相対時間トレースを含み、上記検索ユニットが上記位相対時間トレース中の１つ以上の上記イベントを特定してマークを付けるように構成され、上記表示ユニットが上記位相対時間トレース中の１つ以上の上記イベントの位置又はその周辺の関心ある区間を表示するのに適していることを特徴とするものである。
【００１４】
本願の第７観点の発明は、第４観点の試験測定装置において、１つ以上の上記ＩＱベース時間領域トレースが電力対時間トレースを含み、上記検索ユニットが上記電力対時間トレース中の１つ以上の上記イベントを特定してマークを付けるように構成され、上記表示ユニットが上記電力対時間トレース中の１つ以上の上記イベントの位置又はその周辺の関心ある区間を表示するのに適していることを特徴とするものである。
【００１５】
本願の第８観点の発明は、第１観点の試験測定装置において、上記検索ユニットが、１つ以上のＩＱベース時間領域トレースが許容不可状態に変化する１つ以上のイベントを探すために、１つ以上のレコードをスキャンすることを特徴とするものである。
【００１６】
本願の第９観点の発明は、ＩＱベース時間領域トレース中のイベントを検索する方法であって、
上記試験測定装置の端子において被試験電気信号を受けるステップと、
アナログ・デジタル・コンバータを用いて上記被試験電気信号をデジタル化するステップと、
デジタル化した上記被試験電気信号をダウン・コンバートしてＩ（同相）及びＱ（直交）ベースバンド成分情報を生成するステップと、
上記被試験電気信号に関する上記Ｉ及びＱベースバンド成分情報のレコードを蓄積及び取込むステップと、
１つ以上のＩＱベース時間領域トレースを生成するステップと、
１つ以上のイベントを探すために１つ以上の上記ＩＱベース時間領域トレースを検索するステップと、
１つ以上の上記イベントにマークを付けるステップと、
１つ以上の上記ＩＱベース時間領域トレースに関する１つ以上のマークされた上記イベントの位置又はその周辺の関心ある区間を表示するステップと
を具えている。
【００１７】
本願の第１０観点の発明は、第９観点の方法において、１つ以上の上記ＩＱベース時間領域トレースに周波数対時間トレースが含まれることを特徴とするものである。
【００１８】
本願の第１１観点の発明は、第１０観点の方法において、
上記検索ステップが、
１つ以上のイベントを探すために上記周波数対時間トレースを検索するステップと、
上記周波数対時間トレース中の１つ以上の上記イベントにマークを付けるステップと、
上記周波数対時間トレース中の１つ以上のマークされた上記イベントの位置又はその周辺の関心ある区間を表示するステップとを更に具えることを特徴とするものである。
【００１９】
本願の第１２観点の発明は、第９観点の方法において、１つ以上の上記ＩＱベース時間領域トレースに位相対時間トレースが含まれることを特徴とするものである。
【００２０】
本願の第１３観点の発明は、第１２観点の方法において、
上記検索ステップが、
１つ以上のイベントを探すために上記位相対時間トレースを検索するステップと、
上記位相対時間トレース中の１つ以上の上記イベントにマークを付けるステップと、
上記位相対時間トレース中の１つ以上のマークされた上記イベントの位置又はその周辺の関心ある区間を表示するステップとを更に具えることを特徴とするものである。
【００２１】
本願の第１４観点の発明は、第９観点の方法において、１つ以上の上記ＩＱベース時間領域トレースに電力対時間トレースが含まれることを特徴とするものである。
【００２２】
本願の第１５観点の発明は、第１３観点の方法において、
上記検索ステップが、
１つ以上のイベントを探すために上記電力対時間トレースを検索するステップと、
上記電力対時間トレース中の１つ以上の上記イベントにマークを付けるステップと、
上記電力対時間トレース中の１つ以上のマークされた上記イベントの位置又はその周辺の関心ある区間を表示するステップとを更に具えることを特徴とするものである。
【００２３】
本願の第１６観点の発明は、第９観点の方法において、１つ以上の上記ＩＱベース時間領域トレースに復調データが含まれることを特徴とするものである。
【００２４】
本願の第１７観点の発明は、第１６観点の方法において、
上記検索ステップが、
１つ以上のイベントを探すために上記復調データを検索するステップと、
上記復調データの１つ以上の上記イベントにマークを付けるステップと、
上記復調データ中の１つ以上のマークされた上記イベントの位置又はその周辺の関心ある区間を表示するステップとを更に具えることを特徴とするものである。
【００２５】
本願の第１８観点の発明は、磁気ディスク、光学ディスク、固体ディスク、揮発性メモリ、不揮発性メモリ、ランダム・アクセス・メモリ、リード・オンリ・メモリ又はフラッシュ・メモリを含む機器から情報を引き出す装置であって、試験測定装置で実行したときに、第９観点の発明のステップを機械に実行させる結果となる関連する命令を有する機械アクセス可能なメディアを具えている。
【００２６】
本発明の目的、効果及び他の新規な点は、以下の詳細な説明を添付の特許請求の範囲及び図面とともに読むことによって明らかとなろう。
【図面の簡単な説明】
【００２７】
【図１】図１は、アナログ・デジタル・コンバータ（ＡＤＣ）、デジタル・ダウン・コンバータ、１つ以上のレコードを蓄積する取込みメモリ、トレース生成部及び検索ユニットを含むコントローラ、表示ユニットを有する本発明の実施形態例による試験測定装置のブロック図である。
【図２Ａ】図２Ａは、図１の検索ユニットを示し、これが周波数対時間のソース・データと、検索ユニットでスキャン及び特定された種々の時間領域イベントを含むデジタル・レコードとを有している。
【図２Ｂ】図２Ｂは、本発明の実施形態の例に基づくもので、試験測定装置が受けたＲＦ信号のスペクトログラムやスペクトラムと一緒に周波数対時間トレースを含む簡略化した表示画面を示す。
【図３Ａ】図３Ａは、図１の検索ユニットを示し、これが位相対時間のソース・データと、検索ユニットでスキャン及び特定された種々の時間領域イベントを含むデジタル・レコードとを有している。
【図３Ｂ】図３Ｂは、本発明の実施形態の例に基づくもので、試験測定装置が受けたＲＦ信号のスペクトログラムやスペクトラムと一緒に位相対時間トレースを含む簡略化した表示画面を示す。
【図４Ａ】図４Ａは、図１の検索ユニットを示し、これが、電力対時間のソース・データと、検索ユニットでスキャン及び特定された種々の時間領域イベントを含むデジタル・レコードとを有している。
【図４Ｂ】図４Ｂは、本発明の実施形態の例に基づくもので、試験測定装置が受けたＲＦ信号のスペクトログラムやスペクトラムと一緒に電力対時間トレースを含む簡略化した表示画面を示す。
【図５】図５は、本発明の１つの実施形態によるＩＱベース時間領域トレース中のイベントを検索する方法を示すフローチャートである。
【発明を実施するための形態】
【００２８】
図１は、アナログ・デジタル・コンバータ（ＡＤＣ）１０８、デジタル・ダウン・コンバータ１１５、トレース生成部１４５及び検索ユニット１４７を含むコントローラ１４０、表示ユニット１５０を有する本発明の実施形態例による試験測定装置１００のブロック図である。試験測定装置１００は、デジタル・オシロスコープ、リアルタイム・スペクトラム・アナライザ（ＲＴＳＡ）、その他の適切な測定装置としても良い。簡潔かつ一貫性を持たせるため、ここでは、全般に試験測定装置としてオシロスコープを例に説明するが、これに限られるものではない。
【００２９】
オシロスコープ１００は、ここで説明する種々の実施形態での利用に適した入力端子１１０のような入力端子又はチャンネルを複数有している。このオシロスコープは、入力端子１１０を１つだけ持つとしても良いが、本願発明は、４つ又は任意の数の入力を有するオシロスコープにも等しく適用可能である。オシロスコープ１００の構成要素は、互いに直接結合された形で示されているが、オシロスコープ１００は、必ずしも図示しないものの、他の種々の回路、ソフトウェア要素、入力端子、出力端子、インタフェースを含んでも良く、これらは図示したオシロスコープ１００の構成要素の間等に配置される。
【００３０】
入力端子１１０は、被試験電気信号、好ましくはＲＦ信号を受ける。このＲＦ信号は、アナログ中間周波数（ＩＦ）信号に変換しても良く、これはＡＤＣ１０８でデジタル化される前にフィルタされる。しかし、ここで１つのＲＦ信号又は複数のＲＦ信号として言及する場合、これら言及は、１つ以上のＲＦ信号、又は、ＲＦ信号から得られた１つ以上のＩＦ信号を含めて意味するものとする。
【００３１】
ＡＤＣ１０８は、被試験ＲＦ信号をデジタル化するように構成される。デジタル・ダウン・コンバータ１１５は、ＡＤＣ１０８と動作可能に結合されても良い。ただし、必ずしも直接ＡＤＣ１０８に結合されていなくとも良い。そして、デジタル・ダウン・コンバータ１１５は、デジタル化されたＲＦ信号を受けて、このデジタルＲＦ信号からＩ（同相）及びＱ（直交）ベースバンド成分情報を生成する。より具体的には、ミキサ１２０が数値的にサイン及びコサインをデジタルＲＦ信号にかけ算し、これによってＩ及びＱ成分情報を生成する。この情報には、オリジナルのＲＦ信号中に存在する情報の全てが含まれる。信号成分データは、その後、間引きフィルタ１２５を用いて間引きされる。これは、信号に関するサンプル数とノイズをデジタル的にフィルタして減少させる。
【００３２】
取込み（アクイジション）メモリ１３０は、デジタル・ダウン・コンバータ１１５と動作可能に結合されて、ＲＦ信号に関するデジタルＩ及びＱベースバンド成分情報の１つ以上のレコード１３５を取込み及び蓄積する。言い換えると、取込みメモリ１３０は、デジタル・ダウン・コンバータ１１５からＩ及びＱベースバンド成分情報を受けて、これを蓄積する。実施形態によっては、ＡＤＣ１０８が出力するデジタル・データを、メモリ１３０のようなメモリに最初に直接蓄積しても良く、その後、ダウン・コンバータ１１５がアクセスしてＩ及びＱベースバンド成分情報を生成するようにしても良い。オシロスコープの複数の入力端子１１０のそれぞれは、成分情報が蓄積された取込みメモリ１３０の異なる部分又は異なるレコード１３５と結合している。取込みメモリ１３０は、種々のメモリとしても良い。例えば、取込みメモリ１３０は、揮発性メモリ、不揮発性メモリ、ダイナミック・ランダム・アクセス・メモリ（ＤＲＡＭ）、スタティック・メモリ（ＳＲＡＭ）などとしても良い。
【００３３】
オシロスコープ１００は、コントローラ１４０を有し、これは取込みメモリ１３０と動作可能に結合していても良く、取込みメモリ１３０のＩ及びＱベースバンド成分情報にアクセスして処理することができる。コントローラ１４０は、データの取込み中か又はデータの取込みの後に続いて、取り込んだデータにアクセスして処理できる。コントローラ１４０は、表示ユニット１５０にも結合されて、表示ユニット１５０で表示される対応する波形も生成する。
【００３４】
コントローラ１４０は、トレース生成部１４５及び検索ユニット１４７を有していても良い。トレース生成部１４５は、Ｉ及びＱベースバンド成分情報を用いて、１つ以上のＩＱベースの時間領域トレースを生成する。例えば、ダウン・コンバートした後、トレース生成部１４５は、ＱをＩで割ったもののアークタンジェント（つまり、ＡＲＣＴＡＮ（Ｑ／Ｉ））の計算によって位相を生成しても良い。トレース生成部１４５は、位相の微分（導関数）を計算する（つまり、ｄ／ｄｔ（ｐｈａｓｅ））ことによって、周波数を生成しても良い。位相及び周波数は、位相対時間トレース、周波数対時間トレースをそれぞれ生成及びプロットするのに用いられる。加えて、トレース生成部１４５は、振幅（つまり、電力対時間）トレースを生成しても良く、これは、例えば、Ｉの２乗にＱの２乗を加えたものの平方根を取る（例えば、ＳＱＲＴ（Ｉ＾２＋Ｑ＾２））ことで生成しても良い。種々のトレースについて、以下で更に詳細に説明する。
【００３５】
検索ユニット１４７は、１つ以上のイベントを探すために、取込みレコード１３５中のＩＱベース時間領域トレースをスキャンできる。例えば、もしＩＱベース時間領域トレースが周波数対時間トレースなら、検索ユニット１４７は、周波数対時間トレース中のラント又は許容不可状態のようなイベントの位置を特定してマークを付けることができる。加えて、検索ユニット１４７は、Ｉ及びＱベースバンド成分情報の個々のトレースに関するイベントの位置を特定してマークを付けることができる。言い換えると、検索ユニットは、Ｉベースバンド成分情報の１個のトレース（つまり、Ｉ対時間トレース）を直接スキャンしたり、Ｑベースバンド成分情報の１個のトレース（つまり、Ｑ対時間トレース）を直接スキャンできる。以下で詳細に説明するが、種々の異なる種類のイベントを探すために、種々のＩＱベース時間領域トレースをスキャンできる。１つ以上のマークされたイベントの位置又はその周辺の関心あるインターバル（区間）を表示できるので、オシロスコープのユーザは効率的に関心のある領域の位置を特定して分析できる。
【００３６】
表示ユニット１５０は、ＲＦ信号のスペクトラムやＲＦ信号のスペクトログラムのような周波数領域トレースと共に、１つ以上のＩＱベース時間領域トレース及びマークされたイベントを表示ユニットの同じ表示画面内に一緒に（つまり、互いに近くに、又は、重ねて）表示するのに適したものとなっている。周波数領域トレースは、ＩＱベース時間領域トレースと一緒に同じ表示画面中に表示され、時間的な関連づけがはかられる。これによって、ユーザはイベントを見つけることができ、時間領域及び周波数領域の両領域においてイベントを同時に観測できる。しかし、こうした混成（ミックス）表示は必要条件ではなく、どの周波数領域トレースからも独立してＩＱベース時間領域トレースを検索及びマークを付けることができ、その逆についても同様である。
【００３７】
ＲＦ信号のスペクトラムやスペクトログラムのような周波数領域トレースは、高速フーリエ変換（ＦＦＴ）アルゴリズムをＩ及びＱデータに適用することによって生成される。複数のＩＱベース時間領域トレースの検索結果が生成されると、そのマークが付いたイベントも表示ユニットの同じ表示画面内のオシロスコープのユーザが見やすい場所に表示できる。言い換えると、ＩＱベース時間領域トレース、ＩＱベース周波数領域トレース及び検索結果は、表示ユニット１５０の１つの表示画面において、互いに近い位置に表示できる。
【００３８】
ここで、周波数領域に言及すると、これは、当業者には理解されるように、周波数領域トレースを指すものと考えるべきである。例えば、ＲＦ信号のスペクトラムは、周波数領域であって、周波数レンジを表す水平軸と、任意の周波数についての振幅又は信号電力を表す垂直軸とを有するプロットを含んでいる。加えて、ＲＦ信号のスペクトログラムは、周波数領域に含まれると考えられ、典型的には、周波数レンジを表す水平軸と、時間を表す垂直軸とを有し、色を変化させることでトレースの振幅を表すプロットを有している。
【００３９】
一方、時間領域は、複数の異なる形式の信号やトレースを含んでいる。例えば、周波数対時間トレースは、周波数領域というよりは、時間領域に属すると考えられ、また、これは時間を表す水平軸と、周波数を表す垂直軸とを有すると考えられる。
【００４０】
周波数対時間と同様に、電力対時間トレースは、時間に対して信号電力がどのように変化するかを示し、時間領域に属すると考えられ、その水平軸は時間を表し、垂直軸は電力（線形なスケールの電圧の代わりに、典型的には、対数（log）スケール）を表す。加えて、位相対時間トレースは、時間の関数として表示され、時間領域に属すると考えられる。その水平軸は時間を表し、垂直軸は位相値のレンジを表す。ここでＩＱベース時間領域トレースに言及すると、これはＩ及びＱ成分情報から得られた信号又はトレースを指しており、周波数領域とは対照的に、時間領域に属している。
【００４１】
ＡＤＣ１０８、デジタル・ダウン・コンバータ１１５、検索ユニット１４７を含むコントローラ１４０及び表示ユニット１５０のいずれもが、ハードウェア、ソフトウェア、ファームウェア、又はこれらの組合せたものの中に存在するか、または、これらを用いて実現される。
【００４２】
図２Ａは、図１の検索ユニット１４７を示し、これが、周波数対時間のソース・データ２０５と、検索ユニット１４７でスキャン及び特定された種々の時間領域イベントを含むデジタル・レコード１３５とを有している。
【００４３】
トレース生成部１４５は、Ｉ及びＱベースバンド成分情報を用いて周波数対時間トレースを生成する。検索ユニット１４７は、周波数対時間トレース中の１つ以上のイベントの位置を特定し、マークを付ける。例えば、検索ユニット１４７は、周波数対時間トレース中のラント２１０、つまり、周波数対時間トレース中のイレギュラーなポジティブ又はネガティブのパルスの位置を特定し、マークを付けることができる。ラント（出来損ない）とは、一般に予め定義した２つの異なる振幅閾値の第１閾値は超えるものの、第２閾値は超えることなく、再度、第１閾値に満たなくなる信号波形である。別の例では、検索ユニット１４７は、１つ以上のウィンドウ・イベント２２０の位置を特定し、マークを付けるように構成され、このとき、周波数対時間トレースが予め定めたウィンドウに入ったり出たりする。このウィンドウは、第１及び第２閾値で定義できる。
【００４４】
ある実施形態の例では、検索ユニット１４７は、１つ以上の周波数バースト幅イベント２４０を探すために複数のレコードをスキャンするように構成される。つまり、この場合では、任意の周波数内における信号の活動状態（signal activity）であるバーストの幅の位置が特定されてマークされる。２つ以上のＲＦ信号を取込み及び蓄積でき、ＲＦ信号に関する１つ以上の周波数バースト幅イベントを探すため、これらのそれぞれをスキャンできる。周波数バースト幅イベントの位置が特定されてマークされた時点で、これらを表示ユニット１５０上に表示できる。
【００４５】
ある実施形態の例では、検索ユニット１４７は、いろいろなイベントがある中から、ＩＱベース時間領域トレース中の別の形式のイベントの位置を特定し、マークを付けるように構成される。これら別形式のイベントとしては、例えば、次のようなものがある。パルス幅イベント又はグリッチ・イベント２１５は、周波数対時間トレースのパルスのパルス幅が、ある閾値よりも小さいか大きいものである。論理イベント２３５は、予め定めた複数チャンネルの論理基準と合致する周波数対時間トレースの部分（aspect：局面）である。スルーレート・イベント２３０は、周波数対時間トレースのスルーレートが予め定めたリミットよりも小さいか大きいものである。エッジ・イベント２２５は、周波数対時間トレースのエッジが検出されるか、又は、ＲＦ周波数シフトの最初又は最後のような任意の基準に合致するものである。
【００４６】
図２Ｂは、本発明の実施形態の例に基づくもので、試験測定装置が受けたＲＦ信号のスペクトログラム２８５やスペクトラム２９０と一緒に周波数対時間トレース２５５／２６０を含む簡略化した表示画面２００を示す。
【００４７】
図２Ｂに示すように、表示画面２００の上部に周波数対時間トレース２５５と複数のマーカ２５０が表示される。マーカ２５０は、イベントが検出された周波数対時間トレース２５５内の位置を示している。
【００４８】
表示画面２００にズーム・ウィンドウ２４５を設けても良く、この中で周波数対時間トレース２５５の一部分２６０について、その解像度が高められたり、拡大されたりするので、オシロスコープのユーザは、波形の特定の特徴をより簡単に精査できる。
【００４９】
一般にズーム・ウィンドウ２４５は、取込みレコード中の特定されたイベントを識別するための複数のマーカ２５０の１つに対応するマーカ２５２を含んでいる。マーカ２５２は、イベントを有する周波数対時間トレース２６０中の関心のある一部分又は区間にマークされる。例えば、図２Ｂでは、周波数対時間トレースの部分２６０中で位置が特定されマークされたラント・イベント２６５が示されているが、これは周波数対時間トレース２５５の間違った周波数ホップに対応している。何が間違った周波数やその他のイベントを構成するかというリミット又はパラメータは、オシロスコープのユーザが設定可能である。検索ユニット１４７は、上述したイベントのいずれについても、同様なやり方で、その位置を特定しマークを付けることができる
【００５０】
更には、時間領域の周波数対時間トレースやマーカと共に、周波数領域のスペクトログラム２８５やスペクトラム２９０を一緒に（つまり、互いに近く又は重ねて）、表示ユニット１５０の１つの表示画面２００中に表示できる。言い換えると、スペクトログラム２８５やスペクトラム２９０は、別個の表示画面には表示されないのであって、そうでないと、信号間の情報を相互に関連させるのが困難になる。むしろ、周波数領域のスペクトログラム２８５やスペクトラム２９０からの情報は、同じ表示画面内の周波数対時間トレース２５５／２６０やマーカのような時間領域トレースからの情報と相互に時間的関連が取れるようにしている。
【００５１】
実施形態によっては、検索ユニット１４７は、ユーザの選択に応じて、複数の取込みレコード内において、周波数対時間トレース中の複数のイベントを自動的にスキャンして位置を特定し、ユーザが更に分析できるように、表示画面２００上に自動的に周波数対時間トレースと関連するマーカを表示させても良い。上述した検索及びマーキング（マークを付ける）技術は、ＩＱベース時間領域トレース中で識別された種々のイベントについて自動的に適用され、オシロスコープ１００で表示されると理解できよう。
【００５２】
図３Ａは、図１の検索ユニット１４７を示し、これが、位相対時間のソース・データ３０５と、検索ユニット１４７でスキャン及び特定された種々の時間領域イベント３５０を含むデジタル・レコード１３５とを有している。
【００５３】
トレース生成部１４５は、Ｉ及びＱベースバンド成分情報を用いて位相対時間トレースを生成する。検索ユニット１４７は、位相対時間トレース中の１つ以上のイベントの位置を特定し、マークを付ける。例えば、検索ユニット１４７は、上述したイベントと類似するか、対応するイベントの位置を特定しマークを付けることができるが、ここでは位相対時間トレース３６０に応用している。
【００５４】
図３Ｂに示すように、表示画面３００の上部に位相対時間トレース３６０とマーカ３５２が表示される。マーカ３５２は、イベントが検出された位相対時間トレース３６０内の位置を示す複数のマーカ（図示せず）の１つとしても良い。
【００５５】
表示画面３００では、ズーム・ウィンドウ２４５のようなズーム・ウィンドウを示していないが、そのようなズーム・ウィンドウを用意しても良く、これによれば位相対時間トレース３６０の一部分について、解像度を高めたり、拡大したりでき、それによれば、オシロスコープのユーザはより簡単に精査できる。
【００５６】
上述のように、マーカ３５２によって、取込みレコード中の特定されたイベントが識別される。マーカ３５２は、イベントを有する位相対時間トレース３６０中の関心のある一部分又は区間にマークされる。例えば、図３Ｂでは、位相対時間トレース３６０中で位置が特定されマークされたスルーレート・イベント３６５が示されている。スルーレート・イベント３６５は、例えば、変調信号に関し、ある位相から別の位相に動くのに時間がかかり過ぎている位置を示すことができる。何がスルーレート・イベントやその他のイベントを構成するかというリミット又はパラメータは、オシロスコープのユーザが設定可能である。検索ユニット１４７は、上述したイベントのいずれについても、同様なやり方で、その位置を特定しマークを付けることができる
【００５７】
更には、時間領域の位相対時間トレースやマーカと共に、周波数領域のスペクトログラム３８５やスペクトラム３９０を一緒に（つまり、互いに近く又は重ねて）、表示ユニット１５０の１つの表示画面３００中に表示できる。言い換えると、スペクトログラム３８５やスペクトラム３９０は、別個の表示画面には表示されないのであって、そうでないと、信号間の情報を相互に関連させるのが困難になる。むしろ、周波数領域のスペクトログラム３８５やスペクトラム３９０からの情報は、同じ表示画面内の位相対時間トレース３６０やマーカのような時間領域トレースからの情報と相互に時間的関連が取れるようにしている。
【００５８】
実施形態によっては、検索ユニット１４７は、ユーザの選択に応じて、複数の取込みレコード内において、位相対時間トレース中の複数のイベントを自動的にスキャンして位置を特定し、ユーザが更に分析できるように、表示画面３００上に自動的に位相対時間トレースと関連するマーカを表示させても良い。上述した検索及びマーキング技術は、ＩＱベース時間領域トレース中で識別された種々のイベントについて自動的に適用され、オシロスコープ１００で表示されると理解できよう。
【００５９】
図４Ａは、図１の検索ユニット１４７を示し、これが、電力対時間のソース・データ４０５と、検索ユニット１４７でスキャン及び特定された種々の時間領域イベント４５０を含むデジタル・レコード１３５とを有している。
【００６０】
トレース生成部１４５は、Ｉ及びＱベースバンド成分情報を用いて電力対時間トレースを生成する。検索ユニット１４７は、電力対時間トレース中の１つ以上のイベントの位置を特定し、マークを付ける。例えば、検索ユニット１４７は、上述したイベントと類似するか、対応するイベントの位置を特定しマークを付けることができるが、ここでは電力対時間トレース４６０に応用している。
【００６１】
図４Ｂに示すように、表示画面４００の上部に電力対時間トレース４６０とマーカ４５２が表示される。マーカ４５２は、イベントが検出された電力対時間トレース４６０内の位置を示す複数のマーカ（図示せず）の１つとしても良い。
【００６２】
表示画面４００では、ズーム・ウィンドウ２４５のようなズーム・ウィンドウを示していないが、そのようなズーム・ウィンドウを用意しても良く、これによれば電力対時間トレース４６０の一部分について、解像度を高めたり、拡大したりでき、それによれば、オシロスコープのユーザはより簡単に検査することができる。
【００６３】
上述のように、マーカ４５２によって、取込みレコード中の特定されたイベントが識別される。マーカ４５２は、イベントを有する電力対時間トレース４６０中の関心のある一部分又は区間にマークされる。例えば、図４Ｂでは、電力対時間トレース４６０中で位置が特定されマークされたエッジ・イベント４６５が示されており、この位置でＲＦバーストのエッジが検出されたものである。何がエッジ・イベントやその他のイベントを構成するかというリミット又はパラメータは、オシロスコープのユーザが設定可能である。検索ユニット１４７は、上述したイベントのいずれについても、同様なやり方で、その位置を特定しマークを付けることができる
【００６４】
更には、時間領域の電力対時間トレースやマーカと共に、周波数領域のスペクトログラム４８５やスペクトラム４９０を一緒に（つまり、互いに近く又は重ねて）、表示ユニット１５０の１つの表示画面４００中に表示できる。言い換えると、スペクトログラム４８５やスペクトラム４９０は、別個の表示画面には表示されないのであって、そうでないと、信号間の情報を相互に関連させるのが困難になる。むしろ、周波数領域のスペクトログラム４８５やスペクトラム４９０からの情報は、同じ表示画面内の電力対時間トレース４６０やマーカのような時間領域トレースからの情報と相互に時間的関連が取れるようにしている。
【００６５】
実施形態によっては、検索ユニット１４７は、ユーザの選択に応じて、複数の取込みレコード内において、電力対時間トレース中の複数のイベントを自動的にスキャンして位置を特定し、ユーザが更に分析できるように、表示画面４００上に自動的に電力対時間トレースと関連するマーカを表示させても良い。上述した検索及びマーキング技術は、ＩＱベース時間領域トレース中で識別された種々のイベントについて自動的に適用され、オシロスコープ１００で表示されると理解できよう。
【００６６】
図２Ａ、図２Ｂ、図３Ａ、図３Ｂ、図４Ａ及び図４Ｂを参照して図示及び説明してきた実施形態及び技術は、Ｉ及びＱベースバンド成分情報の個々のトレースに応用できることが理解できよう。言い換えると、検索ユニットは、Ｉベースバンド成分情報の単一のトレース（つまり、Ｉ対時間トレース）を直接スキャンしたり、Ｑベースバンド成分情報の単一のトレース（つまり、Ｑ対時間トレース）を直接スキャンできる。表示ユニットは、Ｉ対時間トレース及びＱ対時間トレースの一方又は両方において、マークされたイベントの位置又はその周辺の関心のある区間を表示するのに適したものとなっている。
【００６７】
図５は、本発明の１つの実施形態によるＩＱベース時間領域トレース中のイベントを検索する方法を示すフローチャートである。この方法は、ステップ５０５で始まり、ここではオシロスコープのような試験測定装置の端子が、ＲＦ信号やアナログ信号のような電気信号を受ける。ステップ５１０では、ＡＤＣを用いて電気信号がデジタル化される。続いてフローはステップ５１５に進み、ここではデジタル化された信号がダウン・コンバートされ、Ｉ及びＱベースバンド成分情報が生成される。ステップ５２０では、１つ以上のレコードが取込みメモリ中に生成され、この中にＩＱベースバンド成分情報と関連するデータが蓄積される。ステップ５２５では、ＩＱベース時間領域トレースに関連する１つ以上のイベントを探すために、レコードが検索される。ステップ５３０では、１つ以上のイベントがレコード中で特定されたか判断される。もしＮＯなら、フローは「Ａ」に進んで処理が繰り返される。そうでない（YESの）場合は、フローはステップ５３５に進み、ＩＱベース時間領域トレース中の特定されたイベントにマークが付けられる。続いて、処理はステップ５４０に進み、ここではＩＱベース時間領域トレース中のマークされたイベントの位置又はその周辺の関心ある区間が、ユーザの観測及び分析のために、オシロスコープの表示ユニットに表示される。
【００６８】
具体的な実施形態を説明してきたが、本発明の原理はこれら実施形態に限定されるものではないことが理解されよう。例えば、上述の実施形態では、波形の異なる特性を記述しているが、上述の特性は、ジッタ測定又は情報に関する特性のように、統計的な性質のものではない。しかし、開示した実施形態は、統計的な特性でないものに限定されず、むしろ、ジッタ情報のような統計的情報にも拡張できるものである。更には、上述した技術と同様にして、ビット及びシンボルを含む変調データを検索し、位置を特定し、マークを付けるようにしても良い。
【００６９】
実施形態によっては、本発明は、磁気ディスク、光学ディスク、固体ディスク、揮発性メモリ、不揮発性メモリ、ランダム・アクセス・メモリ、リード・オンリ・メモリ、フラッシュ・メモリを含む機器から情報を引き出す装置であっても良く、この装置が、試験測定装置で実行したときに、本願で開示した本発明の種々の実施形態のステップを機械に実行させる結果が得られる関連する命令を有する機械アクセス可能なメディアを具えていても良い。また、その他の種々の変形が、本発明の原理から離れることなく実現可能なことが理解されるであろう。
【符号の説明】
【００７０】
１００  試験測定装置
１０８  アナログ・デジタル・コンバータ
１１０  入力端子
１１５  デジタル・ダウン・コンバータ
１２０  ミキサ
１２５  間引きフィルタ
１３０  取込みメモリ
１３５  デジタル・レコード
１４０  コントローラ
１４５  トレース生成部
１４７  検索ユニット
１５０  表示ユニット
１６０  外部デバイス
２００  表示画面
２０５  ソース・データ
２１０  ラント・イベント
２１５  パルス幅イベント
２２０  ウィンドウ・イベント
２２５  エッジ・イベント
２３０  スルーレート・イベント
２３５  論理イベント
２４０  周波数バースト幅イベント
２４５  ズーム・ウィンドウ
２５０  複数のマーカ
２５２  マーカ
２５５  周波数対時間トレース
２６０  周波数対時間トレースの部分
２６５  ラント・イベント
２８５  スペクトログラム
２９０  スペクトラム
３００  表示画面
３０５  ソース・データ
３５０  イベント
３５２  マーカ
３６０  位相対時間トレース
３６５  スルーレート・イベント
３８５  スペクトログラム
３９０  スペクトラム
４００  表示画面
４０５  ソース・データ
４５０  イベント
４５２  マーカ
４６０  電力対時間トレース
４６５  エッジ・イベント
４８５  スペクトログラム
４９０  スペクトラム
【図１】
0006267409.tif 000002
【図２Ａ】
0006267409.tif 000003
【図２Ｂ】
0006267409.tif 000004
【図３Ａ】
0006267409.tif 000005
【図３Ｂ】
0006267409.tif 000006
【図４Ａ】
0006267409.tif 000007
【図４Ｂ】
0006267409.tif 000008
【図５】
0006267409.tif 000009